(57)【要約】【課題】ワイヤレスインターカムシステムにおいて、主制御装置を用いない簡単なシステム構成で、通話エリアの拡張と子機同時通話者数の拡張が可能な通話方法を提供する。【解決手段】親機Ａと親機Ｂとを有線による接続線102で接続し、相互に通信制御と音声の送受を行うように構成する。両親機を異なるエリアに設置し、夫々子機Ａ(1)〜(n)と子機Ｂ(1)〜(n)が特定小電力無線回線の電波fa1、fb1とfa2、fb2により接続される。子機Ａ(1)〜(n)の音声は直接親機Ａに、子機Ｂ(1)〜(n)の音声は親機Ｂで受信後親機Ａに送られる。親機Ａはこの音声を送信すると共に親機Ｂに伝送し、親機Ｂもこの音声を送信することで通話エリアが拡張される。また、両親機を同一エリアに設置し、親機Ｂと送受信する子機を１台にし、この子機の音声を親機Ｂから親機Ａに伝送し、子機Ａ(1)〜(n)の音声と合成して送信することで、子機の複数同時通話が可能となる。【選択図】図１
2005094419.tif 000002
【特許請求の範囲】
【請求項１】
マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
前記マスター親機と組合される第１の子機が、音声信号の発信許可を求める「発呼信号」を送信する第１の送信ステップと、
前記発呼信号を受信した前記マスター親機が、前記スレーブ親機に対し、組合される子機に音声信号の送信開始を知らせる「発呼確認信号」を送信するよう指示を行う制御ステップと、
前記マスター親機が、自身と組合される子機に対し、前記発呼確認信号を送信する第２の送信ステップと、
前記スレーブ親機が、自身と組合される子機に対し、前記発呼確認信号を送信する第３の送信ステップと、
前記第１の子機が、音声信号を送信する第４の送信ステップと、
前記マスター親機が、前記第１の子機から送信された音声信号を受信し、自身と組合される子機に対し、この音声信号を送信する第５の送信ステップと、
前記マスター親機が、前記スレーブ親機に前記音声信号を伝送する音声伝送ステップと、
前記スレーブ親機が、自身と組合される子機に対し、前記音声信号を送信する第６の送信ステップと
を備えたことを特徴とするワイヤレスインターカムシステムにおける通信方法。
【請求項２】
マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
前記スレーブ親機と組合される第１の子機が、音声信号の発信許可を求める「発呼信号」を送信する第１の送信ステップと、
前記発呼信号を受信した前記スレーブ親機が、前記発呼信号の受信通知を前記マスター親機に伝送する第１の制御ステップと、
前記受信通知を受けた前記マスター親機が、前記スレーブ親機に対し、組合される子機に音声信号の送信開始を知らせる「発呼確認信号」を送信するよう指示を行う第２の制御ステップと、
前記マスター親機が、自身と組合される子機に対し、前記発呼確認信号を送信する第２の送信ステップと、
前記スレーブ親機が、自身と組合される子機に対し、前記発呼確認信号を送信する第３の送信ステップと、
前記第１の子機が、音声信号を送信する第４の送信ステップと、
前記スレーブ親機が、前記第１の子機から送信された音声信号を受信し、この音声信号をマスター親機に伝送する第１の音声伝送ステップと、
前記マスター親機が、自身と組合される子機に対し、前記スレーブ親機から伝送された音声信号を送信する第５の送信ステップと、
前記マスター親機が、前記スレーブ親機に前記音声信号を伝送する第２の音声伝送ステップと、
前記スレーブ親機が、自身と組合される子機に対し、前記音声信号を送信する第６の送信ステップと
を備えたことを特徴とするワイヤレスインターカムシステムにおける通信方法。
【請求項３】
マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおけるマスター親機の通信方法において、
前記マスター親機は、自身と組合される子機から送信された音声信号の発信許可を求める「発呼信号」を受信した場合と、前記スレーブ親機から、発呼信号を受信したことを知らせる受信通知を受けた場合には、前記スレーブ親機に対し、組合される子機に音声信号の送信開始を知らせる「発呼確認信号」の送信を指示する制御ステップと、
前記マスター親機は、自身と組合される子機から送信された音声信号を受信した場合と、前記スレーブ親機から伝送されてきた音声信号を受けた場合には、前記スレーブ親機にこれらの音声信号を伝送する音声伝送ステップと
を備えたことを特徴とするワイヤレスインターカムシステムにおけるマスター親機の通信方法。
【請求項４】
マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおけるスレーブ親機の通信方法において、
前記スレーブ親機は、自身と組合される子機から送信された音声信号の発信許可を求める「発呼信号」を受信した場合には、この発呼信号の受信通知を前記マスター親機に伝送する制御ステップと、
前記スレーブ親機は、自身と組合される子機から送信された音声信号を受信した場合には、この音声信号をマスター親機に伝送する音声伝送ステップと、
前記スレーブ親機は、前記マスター親機から、音声信号の送信開始を知らせる「発呼確認信号」の送信を指示する制御信号が入来した場合には、自身と組合される子機に対し、前記発呼確認信号を生成し送信する第１の送信ステップと、
前記マスター親機から、音声信号が入来した場合には、自身と組合される子機に対し、前記音声信号を送信する第２の送信ステップと
を備えたことを特徴とするワイヤレスインターカムシステムにおけるスレーブ親機の通信方法。
【請求項５】
マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
第１の子機からマスター親機に第１の音声信号を送信する第１の送信ステップと、
前記マスター親機が、受信した前記音声信号を送信する第２の送信ステップと
第２の子機の送受信電波チャンネルをスレーブ親機のチャンネルに切替えるチャンネル変更ステップと、
前記第２の子機からスレーブ親機に第２の音声信号を送信する第３の送信ステップと、
前記スレーブ親機が、受信した前記第２の音声信号を前記マスター親機に伝送する第１の音声伝送ステップと、
マスター親機において、前記第１の音声信号と前記第２の音声信号を混合し、混合音声信号を生成する信号処理ステップと
前記マスター親機が、前記混合音声信号を送信する第４の送信ステップと、
前記マスター親機が、前記混合音声信号を前記スレーブ親機に伝送する第２の音声伝送ステップと、
前記スレーブ親機が、前記混合音声信号を送信する第５の送信ステップと
を備えたことを特徴とするワイヤレスインターカムシステムにおける通信方法。
【発明の詳細な説明】
【技術分野】
【０００１】
本発明は、親機と、この親機と特定小電力無線回線を用いてデータおよび音声信号を送受信する複数の子機とを備えたワイヤレスインターカムシステムに係り、特に複数の親機を有線で接続し機能を拡張する通話方法に関する。
【背景技術】
【０００２】
親機と、この親機と特定小電力無線回線を用いてデータおよび音声信号を送受信する複数の子機とを備え、複数の子機が親機を介して相互に通話を行うワイヤレスインターカムシステムが知られている。
図９(Ａ)は上記の構成を図示したものであり、親機901と複数の子機(1)〜(n)902が特定小電力無線回線による電波fa、fbにより接続されている。同図のfaは子機902からの送信電波、fbは親機901からの送信電波である。この構成はワイヤレスインターカムシステムとして小規模な構成である。
【０００３】
前述のワイヤレスインターカムシステムにおいては、電波の出力に制限があるため、送受信の到達距離が限定される。そのため、より広いエリアで通信を行うときは、複数の親機を分散して設置することが行われている。このような場合、ひとつの親機とそれに無線接続される複数の子機を1つのグループとして、このグループを複数配置し、各グループの親機を主制御装置に接続し、この主制御装置を介してデータおよび音声信号を各親機に伝送することで各グループ間の通話を可能とする方法が知られている。（例えば、特許文献１参照）。
【０００４】
図９（Ｂ）は上記の構成を図示したものであり、主制御装置911には有線による接続線912を用い、親機(1)913から同(m)914までの複数の親機が接続されている。夫々の親機には特定小電力無線回線による電波fa(1)、fb(1)から親機の数と同数のfa(m)、fb(m)までの周波数を用いて子機１(1)〜同(n)915および子機ｍ(1)〜同(n)916が夫々無線接続されている。
この構成の場合、ある子機からの音声信号は、親機を経由して主制御装置911に送られ、ここを介して他の親機に伝送され、その親機との無線回線で接続されている子機に音声が届くようになり、広いエリアにわたって通信が行える。
【特許文献１】特願平１１―３５５８４２号公報
【発明の開示】
【発明が解決しようとする課題】
【０００５】
上記図９（Ａ）のように、親機１台による小規模なシステムにおいては、特定小電力無線回線による電波のために通話エリアが限定されることと、複数の子機が同時に通話できない問題を有しており、更にエリアを広げるには親機の増設が不可欠であるが、前述の図９（Ｂ）では、親機を複数に増やすためには主制御装置を設ける必要があり規模が大きくなる問題があった。このため、エリアを少し広げたい場合や、小規模に複数の子機が同時に通話する場合などには、従来のシステムはいずれも課題があった。
【０００６】
本発明は、このような従来の問題点に鑑みなされたものであり、その目的は、小規模な構成で通話エリアを拡張するワイヤレスインターカムシステムを提供することにある。
また同様の構成で、同時に２台の子機から音声信号を発声する機能を実現することにある。
【課題を解決するための手段】
【０００７】
本発明は、上記課題を解決する手段として以下の（１）〜（５）に記載の構成からなる。すなわち、
（１）マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
前記マスター親機と組合される第１の子機が、音声信号の発信許可を求める「発呼信号」を送信する第１の送信ステップと、
前記発呼信号を受信した前記マスター親機が、前記スレーブ親機に対し、組合される子機に音声信号の送信開始を知らせる「発呼確認信号」を送信するよう指示を行う制御ステップと、
前記マスター親機が、自身と組合される子機に対し、前記発呼確認信号を送信する第２の送信ステップと、
前記スレーブ親機が、自身と組合される子機に対し、前記発呼確認信号を送信する第３の送信ステップと、
前記第１の子機が、音声信号を送信する第４の送信ステップと、
前記マスター親機が、前記第１の子機から送信された音声信号を受信し、自身と組合される子機に対し、この音声信号を送信する第５の送信ステップと、
前記マスター親機が、前記スレーブ親機に前記音声信号を伝送する音声伝送ステップと、
前記スレーブ親機が、自身と組合される子機に対し、前記音声信号を送信する第６の送信ステップと
を備えたことを特徴とするワイヤレスインターカムシステムにおける通信方法。
（２）マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
前記スレーブ親機と組合される第１の子機が、音声信号の発信許可を求める「発呼信号」を送信する第１の送信ステップと、
前記発呼信号を受信した前記スレーブ親機が、前記発呼信号の受信通知を前記マスター親機に伝送する第１の制御ステップと、
前記受信通知を受けた前記マスター親機が、前記スレーブ親機に対し、組合される子機に音声信号の送信開始を知らせる「発呼確認信号」を送信するよう指示を行う第２の制御ステップと、
前記マスター親機が、自身と組合される子機に対し、前記発呼確認信号を送信する第２の送信ステップと、
前記スレーブ親機が、自身と組合される子機に対し、前記発呼確認信号を送信する第３の送信ステップと、
前記第１の子機が、音声信号を送信する第４の送信ステップと、
前記スレーブ親機が、前記第１の子機から送信された音声信号を受信し、この音声信号をマスター親機に伝送する第１の音声伝送ステップと、
前記マスター親機が、自身と組合される子機に対し、前記スレーブ親機から伝送された音声信号を送信する第５の送信ステップと、
前記マスター親機が、前記スレーブ親機に前記音声信号を伝送する第２の音声伝送ステップと、
前記スレーブ親機が、自身と組合される子機に対し、前記音声信号を送信する第６の送信ステップと
を備えたことを特徴とするワイヤレスインターカムシステムにおける通信方法。
（３）マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおけるマスター親機の通信方法において、
前記マスター親機は、自身と組合される子機から送信された音声信号の発信許可を求める「発呼信号」を受信した場合と、前記スレーブ親機から、発呼信号を受信したことを知らせる受信通知を受けた場合には、前記スレーブ親機に対し、組合される子機に音声信号の送信開始を知らせる「発呼確認信号」の送信を指示する制御ステップと、
前記マスター親機は、自身と組合される子機から送信された音声信号を受信した場合と、前記スレーブ親機から伝送されてきた音声信号を受けた場合には、前記スレーブ親機にこれらの音声信号を伝送する音声伝送ステップと
を備えたことを特徴とするワイヤレスインターカムシステムにおけるマスター親機の通信方法。
（４）マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおけるスレーブ親機の通信方法において、
前記スレーブ親機は、自身と組合される子機から送信された音声信号の発信許可を求める「発呼信号」を受信した場合には、この発呼信号の受信通知を前記マスター親機に伝送する制御ステップと、
前記スレーブ親機は、自身と組合される子機から送信された音声信号を受信した場合には、この音声信号をマスター親機に伝送する音声伝送ステップと、
前記スレーブ親機は、前記マスター親機から、音声信号の送信開始を知らせる「発呼確認信号」の送信を指示する制御信号が入来した場合には、自身と組合される子機に対し、前記発呼確認信号を生成し送信する第１の送信ステップと、
前記マスター親機から、音声信号が入来した場合には、自身と組合される子機に対し、前記音声信号を送信する第２の送信ステップと
を備えたことを特徴とするワイヤレスインターカムシステムにおけるスレーブ親機の通信方法。
（５）マスター親機と、このマスター親機と有線により相互に通信するスレーブ親機とを有し、前記マスター親機およびスレーブ親機と組合され、夫々の親機との間を特定小電力無線回線により通信する子機を備えているワイヤレスインターカムシステムにおける通信方法において、
第１の子機からマスター親機に第１の音声信号を送信する第１の送信ステップと、
前記マスター親機が、受信した前記音声信号を送信する第２の送信ステップと
第２の子機の送受信電波チャンネルをスレーブ親機のチャンネルに切替えるチャンネル変更ステップと、
前記第２の子機からスレーブ親機に第２の音声信号を送信する第３の送信ステップと、
前記スレーブ親機が、受信した前記第２の音声信号を前記マスター親機に伝送する第１の音声伝送ステップと、
マスター親機において、前記第１の音声信号と前記第２の音声信号を混合し、混合音声信号を生成する信号処理ステップと
前記マスター親機が、前記混合音声信号を送信する第４の送信ステップと、
前記マスター親機が、前記混合音声信号を前記スレーブ親機に伝送する第２の音声伝送ステップと、
前記スレーブ親機が、前記混合音声信号を送信する第５の送信ステップと
を備えたことを特徴とするワイヤレスインターカムシステムにおける通信方法。
【発明の効果】
【０００８】
本発明による通話方法によれば、１台の親機を単独で動作させることもできるが、親機の増設は、１つの親機に別の親機を直接接続するシステム構成を採っているので、従来のような主制御装置を必要とせず、簡単に増設をすることが可能となるので、安価なシステムで通話エリアを拡張できる。
また、増設した親機を同一エリア内で使用することで、子機の同時通話者数を増やす使用法が可能となるなど、極めて簡単な構成で通話機能の拡充が図れる効果がある。
【発明を実施するための最良の形態】
【０００９】
以下、本発明によるワイヤレスインターカムシステムの通話方法の実施形態につき、好ましい実施例により図面を参照して説明する。
【００１０】
図１は本発明に係る第１の実施例におけるシステム構成図、図２は本発明に係る第２の実施例におけるシステム構成図、図３は図１および図２における親機間の相互接続を示すブロック図、図４は子機のブロック図、図５はデータ構造を示す図、図６は第１の実施例の動作を説明するチャート(ａ)、図７は同じくチャート(ｂ)、図８は第２の実施例の動作を説明するチャート、図９は従来のシステム構成図である。
【実施例１】
【００１１】
本発明は、複数の親機が主制御装置を介することなく直接接続される点に構成上の特徴を有する。図１は通話エリアを拡張する目的の「エリア拡張型」の構成を示しており、エリア１に設置されている親機Ａ101と、拡張領域であるエリア２に設置されている親機Ｂ103が有り、両親機間は有線による接続線102によって相互に結合されている。両親機には特定小電力無線回線の電波fa1、fb1およびfa2、fb2により夫々接続された子機Ａ(1)104〜同(n)105と子機Ｂ(1)106〜同(n)107が各エリア内に有る。
この構成により２つのエリアに通話の範囲を広げることが可能となるが、本構成における通話の手順は後述する。
【００１２】
図３は図１の親機Ａ101と親機Ｂ103との相互接続の詳細図である。同図で示すように、両親機の内部は同一構成となっているが、親機の役割の違いは接続線351の接続個所で決まるようになる。すなわち、親機Ａ101は対スレーブ通信処理部309に接続線351を接続し、親機Ｂ103は対マスタ通信処理部328に接続線351を接続することで両親機の関係が設定され、親機Ａ101が主導権を持つマスター親機となり、親機Ｂ103はスレーブ親機となる。主導権を持つ親機Ａ101は設定ＳＷ312によりこのシステムの構成を「エリア拡張型」に設定する。
なお、親機の基本機能は上記親機間の通信のほかに、子機との間において、通信を行う周波数の設定、子機からの送話手続き電波を受信し、全子機に送信開始の案内を送信、子機からの音声を受信し全子機に送信等であるが、これらの機能を果たすために多くの付随する動作が行われる。この親機の動作については後述の通信の手順で一緒に述べる。
【００１３】
図４は子機の内部回路ブロックを示したものである。子機の基本機能は、通信を行う周波数の設定、親機からの電波を受信し音声を聴取、送話手続き、音声の送信等であるが、これらの機能を果たすために多くの付随動作が行われる。この子機の動作についても後述の通信の手順で一緒に述べる。
【００１４】
次に、図６および図７を用いて「エリア拡張型」の通信の手順を説明する。なお、手順の説明の中で他の図面を参照することがある。
図１に示す構成に親機および子機が配置されている状態で、
（１）子機Ａ(1)104の図４に示す送話ボタン409を押下すると通話手続きが開始される(図６ステップS101。以下、図６ステップを省略)。
（２）子機Ａ(1)104はfb1のキャリアセンスを行い(S102)、電波が使用されていなければ図５に示すデータ構造を用い、下記のデータをfa1で送信する(S103)。
・「メッセージ種別：発呼、対局コード：親機Ａ、自局コード：子機Ａ(1)」
（３）親機Ａ101は受信したデータの対局コードを照合し(S104)、自コードと一致した場合は接続線351を経由して親機Ｂ103へ「発呼確認」データを送信するよう指示を出す(S105)。
（４）同時に親機Ａ101はfa1のキャリアセンスを行い(S106)、電波が使用されていなければ図５に示すデータ構造を用い、下記のデータをfb1で送信する(S107)。
・「メッセージ種別：発呼確認、対局コード：子機Ａ(1)、自局コード：親機Ａ」
（５）次いで、親機Ａ101はトーン発生回路307のトーン信号を送信する(S108)。
【００１５】
（６）子機Ａ(1)104は受信したデータの対局コードを照合し(S110)、自コードと一致した場合はトーン発生回路408からのトーン信号を送信する(S115)。
（７）子機Ａ(1)104 および親機Ａ101は、夫々トーン検出回路404および304で受信信号からトーン信号を検出した場合には「受信音声パス」を開く(S109)(S116)。
（８）子機Ａ(1)104はトーン信号の送信に続き、マイクロホン406からの音声信号を送信する(S117)。
（９）エリア１の他子機は、親機Ａ101からの「発呼確認」データを受信後、トーン信号を検出した場合に夫々の受信音声パスを開く。
（１０）子機Ａ(1)104からfa1で送信された音声信号は、親機Ａ101で受信後、音声ＭＩＸ回路306で折り返されfb1を介して子機Ａ(1)104および他子機に送信される(S118)。
【００１６】
（１１）一方、親機Ａ101から「発呼確認」データを送信するよう指示された親機Ｂ103は、fa2のキャリアセンスを行い(S111)、電波が使用されていなければ図５に示すデータ構造を用い、下記のデータをfb2で送信する(S112)。
・「メッセージ種別：発呼確認、対局コード：子機Ａ(1)、自局コード：親機Ｂ」
（１２）次いで、親機Ｂ103はトーン発生回路327のトーン信号を送信する(S113)。
（１３）エリア２の子機は、親機Ｂ103からの「発呼確認」データを受信後、トーン信号を検出した場合に夫々の受信音声パスを開く(S114)。
（１４）子機Ａ(1)104からの音声信号は、親機Ａ101で受信後、音声ＭＩＸ回路306から接続線352を経て親機Ｂ103の音声ＭＩＸ回路326に入力される(S119)。
（１５）親機Ｂ103の音声ＭＩＸ回路326に入力された音声信号は、fb2を介してエリア２内の全子機に送信される(S120)。
このようにして、子機Ａ(1)104からの音声信号はエリア１およびエリア２の全子機で聞くことができ、通話エリアの拡張が可能となる。
【００１７】
次に、図１のエリア２にある子機Ｂ(1)106から発呼した場合は次のように動作する。
（１６）子機Ｂ(1)106の図４に示す送話ボタン409を押下すると通話手続きが開始される(図７ステップS201。以下、図７ステップを省略)。
（１７）子機Ｂ(1)106はfb2のキャリアセンスを行い(S202)、電波が使用されていなければ図５に示すデータ構造を用い、下記のデータをfa2で送信する(S203)。
・「メッセージ種別：発呼、対局コード：親機Ｂ、自局コード：子機Ｂ(1)」
（１８）親機Ｂ103は受信したデータの対局コードを照合し(S204)、自コードと一致した場合は接続線351を経由して親機Ａ101へ「発呼」データを受信したことを通知する(S205)。
（１９）親機Ａ101は接続線351を介して、親機Ｂ103から「発呼」データを受信したことを通知されたとき、親機Ａ101自身がグループ内の子機からの発呼を受付ける前である場合、親機Ｂ103へ「発呼確認」データの送信を指示する(S206)。
（２０）同時に親機Ａ101はfa1のキャリアセンスを行い(S207)、電波が使用されていなければ図５に示すデータ構造を用い、下記のデータをfb1で送信する(S208)。
・「メッセージ種別：発呼確認、対局コード：子機Ｂ(1)、自局コード：親機Ａ」
（２１）次いで、親機Ａ101はトーン信号を送信する(S209)。
（２２）エリア１の子機は、親機Ａ101からの「発呼確認」データを受信後、トーン信号を検出した場合に夫々の受信音声パスを開く(S210)。
【００１８】
（２３）一方、親機Ａ101から「発呼確認」データを送信するよう指示された親機Ｂ103は、fa2のキャリアセンスを行い(S211)、電波が使用されていなければ図５に示すデータ構造を用い、下記のデータをfb2で送信する(S212)。
・「メッセージ種別：発呼確認、対局コード：子機Ｂ(1)、自局コード：親機Ｂ」
（２３）次いで、親機Ｂ103はトーン信号を送信する(S213)。
（２４）子機Ｂ(1)106は受信したデータの対局コードを照合し(S215)、自コードと一致した場合はトーン信号を送信する(S216)。
（２５）エリア２の子機および親機Ｂ103は、夫々のトーン信号を検出した場合は「受信音声パス」を開く(S214)(S217)。
（２６）子機Ｂ(1)106はトーン信号の送信に続き、マイクロホンからの音声信号を親機Ｂ103に送信する(S218)。
（２７）子機Ｂ(1)106から送信された音声信号は、親機Ｂ103で受信後、音声ＭＩＸ回路326から接続線352を経て親機Ａ101の音声ＭＩＸ回路306に入力される(S219)。
（２８）親機Ａ101の音声ＭＩＸ回路306に入力された子機Ｂ(1)106の音声信号は、エリア１の子機からの音声信号とミックス（ただし、ここではエリア１の子機の音声信号は存在しない）されて (S220)、電波fb1を介してエリア１の全子機に送信される(S221)。
（２９）更に、音声信号は親機Ｂ103にも折り返し伝送され(S222)、電波fb2を介してエリア２の全子機に送信される(S223)。
このようにして、子機Ｂ(1)106からの音声信号はエリア１およびエリア２の全子機で聞くことができ、子機Ａ(1)104から通話と同様に拡張したエリアでの通話が可能となる。
【００１９】
こうして、主導権を持った親機Ａ101が「発呼確認」データを子機へ送信する管理を行っているので、２つのエリアから同時に子機からの「発呼」メッセージが送信されても、子機が夫々のエリアで話せるといった、動作仕様の不具合が発生することは起こらない。
【実施例２】
【００２０】
実施例２は、実施例１と同様に複数の親機が主制御装置を介することなく直接接続される構成で通話機能の拡張を図るものであリ、同一エリア内で同時に通話できる子機の数を増やす目的の構成、すなわち「子機同時通話者拡張型」の通話を行っている。
図２はそのシステム構成図で、同一エリアに設置されている親機Ａ201と親機Ｂ203が有り、両親機間は有線による接続線202によって相互に結合されている。各親機には特定小電力無線回線の電波fa1、fb1およびfa2、fb2により夫々接続された子機Ａ(1)204〜同(n)205と子機Ｂ206が有る。
【００２１】
親機Ａ201と親機Ｂ203との相互接続の関係は、図３に示す実施例１の場合と同様である。同図の接続の詳細は前述した通りであるが、ここで主導権を持つ親機Ａ201をメイン、親機Ｂ203をサブと位置付ける。親機Ａ201は設定ＳＷ312により、このシステムの構成を「子機同時通話者拡張型」に設定する。
【００２２】
次に、図８を用いて「子機同時通話者拡張型」の通信の手順を説明する。なお、手順の説明の中で他の図面を参照することがある。
図２に示す構成に親機および子機が同一エリアに配置されており、子機Ｂ206は当初親機Ａ201の送信電波fb1が受信できるように設定されている状態で、
（１）子機Ａ(1)204の図４に示す送話ボタン409を押下すると通話手続きが開始される(図８ステップS301。以下、図８ステップを省略)。
（２）子機Ａ(1)204はfb1のキャリアセンスを行い(S302)、電波が使用されていなければ図５に示すデータ構造を用い、下記のデータをfa1で送信する(S303)。
・「メッセージ種別：発呼、対局コード：親機Ａ、自局コード：子機Ａ(1)」
（３）親機Ａ201は受信したデータの対局コードを照合し(S304)、自コードと一致した場合はfa1のキャリアセンスを行い(S305)、電波が使用されていなければ図５に示すデータ構造を用いて、下記のデータをfb1で送信する(S306)。
・「メッセージ種別：発呼確認、対局コード：子機Ａ(1)、自局コード：親機Ａ」
（４）次いで、親機Ａ201はトーン発生回路307のトーン信号を送信する(S307)。
【００２３】
（５）子機Ａ(1)204は受信したデータの対局コードを照合し(S310)、自コードと一致した場合はトーン発生回路408からのトーン信号を送信する(S311)。
（６）子機Ａ(1)204 および親機Ａ201は、トーン検出回路404および304で受信信号からトーン信号を検出した場合には夫々の「受信音声パス」を開く(S308)(S312)。
（７）子機Ｂ206を含む他の子機は、親機Ａ201からの「発呼確認」データを受信後、トーン信号を検出した場合に夫々の受信音声パスを開く(S309)。
（８）子機Ａ(1)204はトーン信号の送信に続き、マイクロホン406からの音声信号を親機Ａ201に送信する(S313)。
（９）子機Ａ(1)204からfa1で送信された音声信号は、親機Ａ201で受信後、音声ＭＩＸ回路306で折り返され(S314)、fb1を介して子機Ａ(1)204および他子機に送信される(S315)。
このようにして、子機Ａ(1)204からの音声はすべての子機で聞くことができ、通話が可能となる。
【００２４】
ここで、子機Ａ(1)204または他の子機が通話中に、子機Ｂ206が送話ボタンを押下した場合、この構成では子機Ｂ206の音声が同時に通話できるようになる。次にその手順を説明する。
（１０）子機Ｂ206の図４に示す送話ボタン409を押下すると通話手続きが開始される(S316)。
（１１）続いて子機Ｂ206は送受チャンネルが切換り、親機Ｂ203と通話できるようになる(S317)。
（１２）子機Ｂ206はfb2のキャリアセンスを行い(S318)、電波が使用されていなければ図５に示すデータ構造を用い、下記のデータをfa2で送信する(S319)。
・「メッセージ種別：発呼、対局コード：親機Ｂ、自局コード：子機Ｂ」
（１３）親機Ｂ203は受信したデータの対局コードを照合し(S322)、自コードと一致した場合は接続線351を経由して親機Ａ201へ「発呼」データを受信したことを通知する(S323)。
（１４）親機Ａ201は接続線351を介して、親機Ｂ203から「発呼」データを受信したことを通知されたとき、親機Ａ201自身がグループ内の子機からの発呼を受付けた後である場合、親機Ｂ203へ「発呼確認」データの送信を指示する(S324)。
（１５）親機Ａ201から「発呼確認」データを送信するよう指示された親機Ｂ203は、fa2のキャリアセンスを行い(S325)、電波が使用されていなければ図５に示すデータ構造を用い、下記のデータをfb2で送信する(S326)。
・「メッセージ種別：発呼確認、対局コード：子機Ｂ、自局コード：親機Ｂ」
（１６）次いで、親機Ｂ203はトーン信号を送信する(S327)。
【００２５】
（１７）子機Ｂ206は受信したデータの対局コードを照合し(S329)、自コードと一致した場合はトーン信号を送信する(S320)。
（１８）子機Ｂ206および親機Ｂ203は、夫々のトーン信号を検出した場合は「受信音声パス」を開く(S328)(S321)。
（１９）子機Ｂ206はトーン信号の送信に続き、マイクロホンからの音声信号を親機Ｂ203に送信する(S330)。
（２０）子機Ｂ206から送信された音声信号は、親機Ｂ203で受信後、音声ＭＩＸ回路326から接続線352を経て親機Ａ201の音声ＭＩＸ回路306に入力される(S331)。
（２１）親機Ａ201の音声ＭＩＸ回路306に入力された子機Ｂ206の音声信号は、子機Ａ(1)204からの音声信号(S313)とミックスされ (S332)、fb1を介して他子機に送信される(S333)。
（２２）更にミックスされた音声信号は、親機Ｂ203にも折り返し伝送され(S334)、fb2を介して子機Ｂ206に送信される(S335)。
このようにして、子機Ｂ206からの音声信号は子機Ａ(1)204と合成されるので、同時に通話ができる子機が1台増加したことになる。
【００２６】
上記２つの子機からの音声信号の流れは、説明用として図３に破線で示してある。すなわち、子機Ａ(1)204からの音声信号は、受信回路302を経て破線353で音声ＭＩＸ回路306に入り、一方、子機Ｂ206からの音声信号は、受信回路322を経て破線355で音声ＭＩＸ回路306に入る。両音声信号はＭＩＸ回路354で合成された後、破線356で示すように両親機の送信回路303、323から夫々送信される。
【００２７】
このようにして、主導権を持った親機Ａ201が「発呼確認」メッセージを子機へ送信する管理を行っているので、親機Ａ201で通話が行われていない時に、子機Ｂ206から親機Ｂ203に「発呼」メッセージが送信されても、親機Ａ201を通して通話できてしまうといった不具合を防ぐことができる。仮にこのような不具合が起こってしまうと、親機Ａ201で親機Ｂ203からの音声信号を送信してしまうため、その後には子機Ａ側が「発呼」メセージを送信できなくなってしまう。こうしたことが起きないように構成されている。
【００２８】
上記２つの実施例は、ほぼ同一の構成を目的に応じて設定ＳＷを切替え、設置場所を異ならせるなどの２つの状態で使用する例を述べたものである。詳記したように、本発明は主制御装置を用いることなく、親機同士を組合せるだけで通話エリアの拡張や同時通話者の追加が簡単にできるが、なお、更に大規模に拡張する場合には、図３の対マスタ通信処理部308と音声ＭＩＸ回路306を主制御装置に接続することで、従来通りの構成が可能となる特徴も有する。
【図面の簡単な説明】
【００２９】
【図１】本発明に係る第１の実施例におけるシステム構成図である。
【図２】本発明に係る第２の実施例におけるシステム構成図である。
【図３】図１および図２における親機間の相互接続を示すブロック図である。
【図４】子機のブロック図である。
【図５】データ構造を示す図である。
【図６】第１の実施例の動作を説明するチャート(ａ)である。
【図７】第１の実施例の動作を説明するチャート(ｂ)である。
【図８】第２の実施例の動作を説明するチャートである。
【図９】従来のシステム構成図である。
【符号の説明】
【００３０】
１０１、２０１    親機Ａ
１０２、２０２    接続線(有線)
１０３、２０３    親機Ｂ
１０４、２０４    子機Ａ(1)
１０５、２０５    子機Ａ(n)
１０６    子機Ｂ(1)
１０７    子機Ｂ(n)
２０６    子機Ｂ
３００    親機Ａの内部回路
３０１、３２１、４０１    送受アンテナ
３２０    親機Ｂの内部回路
３５１    データ接続線
３５２    音声信号接続線
３５３    親機Ａが受信した音声信号の流れ
３５４    音声ＭＩＸ部
３５５    親機Ｂが受信した音声信号の流れ
３５６    ＭＩＸされた音声信号の流れ
【図１】
2005094419.tif 000003
【図２】
2005094419.tif 000004
【図３】
2005094419.tif 000005
【図４】
2005094419.tif 000006
【図５】
2005094419.tif 000007
【図６】
2005094419.tif 000008
【図７】
2005094419.tif 000009
【図８】
2005094419.tif 000010
【図９】
2005094419.tif 000011